(57)【要約】  【課題】  第１の表示画面に表示された画像や映像に連動した印刷物の印刷を行う際に、印刷プレビュー表示を行う場合において、プレビュー表示可能な第２の表示画面が存在する場合、第１の表示画面の視聴の妨げとならないように第２の表示画面に印刷プレビュー画面を表示し、さらにメモなどを挿入する。  【解決手段】  タッチパネル付き表示器付きのリモコン装置、ＰＤＡなどの無線表示端末に、ＴＶ番組連動の印刷コンテンツのプレビュー画面を表示し、リタッチパネル上でメモ記入、枠合成などの編集し印刷する。その際、プレビュー専用データの有無、プレビュー用表示装置の解像度により、プレビュー専用データと印刷コンテンツの展開データのうちどちらかをプレビュー表示器の解像度に合わせて変換し表示する。  【選択図】        図１３
2005346236.tif 000002
【特許請求の範囲】
【請求項１】
視聴映像を表示可能に構成された第１の表示画面および第２の表示画面と、
上記視聴映像を上記第１の表示画面に表示するとともに、上記視聴映像に関連付けされた印刷コンテンツに対応した印刷プレビュー画像を、上記第２の表示画面に表示する表示手段とを有し、
上記表示手段により、上記印刷コンテンツの印刷プレビュー画像を表示可能に構成されている
ことを特徴とする印刷プレビューシステム。
【請求項２】
上記第２の表示画面が、上記第１の表示画面と異なる筐体に設けられている
ことを特徴とする請求項１記載の印刷プレビューシステム。
【請求項３】
上記印刷プレビュー画像が、印刷コンテンツの被印刷媒体に対する印刷結果のレイアウトまたは上記印刷の内容を視認可能な画像である
ことを特徴とする請求項１または２記載の印刷プレビューシステム。
【請求項４】
上記印刷プレビュー画像が、上記印刷コンテンツに一対一に関連付けされた印刷コンテンツと異なる表示用画像である
ことを特徴とする請求項１乃至３のいずれか１項記載の印刷プレビューシステム。
【請求項５】
上記印刷プレビュー画像が、上記印刷コンテンツに対して上記第２の表示画面用に変換処理が施された表示用画像である
ことを特徴とする請求項１乃至４のいずれか１項記載の印刷プレビューシステム。
【請求項６】
上記印刷プレビュー画像が、上記印刷コンテンツまたは上記表示用画像を、上記第２の表示画面の解像度に適合した状態に変換した表示用画像である
ことを特徴とする請求項１乃至５のいずれか１項記載の印刷プレビューシステム。
【請求項７】
上記印刷プレビュー画像に対して、拡大処理および／または縮小処理を実行する拡大縮小指示手段を有し、
上記拡大縮小指示手段により、上記印刷コンテンツまたは上記表示用画像のデータを、上記第２の表示画面の解像度に適合した状態に変換可能に構成されている
ことを特徴とする請求項１乃至６のいずれか１項記載の印刷プレビューシステム。
【請求項８】
上記印刷コンテンツを印刷可能に構成されたプリンタ装置と接続可能に構成され、
上記プリンタ装置において上記変換が実行されて、上記第２の表示画面に表示可能に構成されている
ことを特徴とする請求項６または７記載の印刷プレビューシステム。
【請求項９】
上記表示用画像の有無を検出する検出手段を有し、
上記表示用画像が存在しない場合、上記印刷コンテンツを変換して上記表示用画像を表示可能に構成されている
ことを特徴とする請求項６記載の印刷プレビューシステム。
【請求項１０】
上記第２の表示画面に対する入力手段を有し、
上記印刷プレビュー画像が表示された第２の表示画面に対して、上記入力手段からの入力により、入力されたデータに応じたデータが、上記印刷コンテンツに追加または除去を施す加工により印刷するように構成されている
ことを特徴とする請求項１乃至９のいずれか１項記載の印刷プレビューシステム。
【請求項１１】
上記加工が、上記入力手段により入力されたデータおよび／または上記印刷コンテンツ以外の画像との合成処理である
ことを特徴とする請求項１０記載の印刷プレビューシステム。
【請求項１２】
上記合成処理は、上記印刷コンテンツが変形されて所定の領域内に印刷され、上記所定の領域以外の部分に上記入力手段により入力されたデータおよび／または上記印刷コンテンツ以外の画像を印刷可能な状態にする処理である
ことを特徴とする請求項１１記載の印刷プレビューシステム。
【請求項１３】
上記合成処理が、印刷コンテンツに対して縮小処理を実行して所定の領域内に印刷し、上記所定の領域以外の部分に上記入力手段により入力されたデータおよび／または上記印刷コンテンツ以外の画像を印刷する処理である
ことを特徴とする請求項１１または１２記載の印刷プレビューシステム。
【請求項１４】
上記第２の表示画面に対する範囲指定手段を有し、
上記プレビュー表示画面において範囲指定された指定領域を拡大表示する場合に、
上記指定領域および／または第２の表示画面の解像度に応じて、上記印刷コンテンツまたは上記表示用画像を再度変換して表示可能に構成されている
ことを特徴とする請求項１乃至９のいずれか１項記載の印刷プレビューシステム。
【請求項１５】
上記第２の表示画面が、リモコン装置に設けられている
ことを特徴とする請求項１乃至１４のいずれか１項記載の印刷プレビューシステム。
【請求項１６】
上記入力手段が、上記リモコン装置の表示画面に設けられたタッチパネルである
ことを特徴とする請求項１５記載の印刷プレビューシステム。
【請求項１７】
視聴映像を第１の表示画面および／または第２の表示画面に表示し、
上記視聴映像を上記第１の表示画面に表示するとともに、上記視聴映像に関連付けされた印刷コンテンツに対応した印刷プレビュー画像を、上記第２の表示画面に表示する
ことを特徴とする印刷プレビュー方法。
【請求項１８】
上記印刷プレビュー画像を、上記印刷コンテンツに一対一に関連付けされた印刷コンテンツと異なる表示用画像とする
ことを特徴とする請求項１７記載の印刷プレビュー方法。
【請求項１９】
上記印刷プレビュー画像を、上記印刷コンテンツに対して上記第２の表示画面用に変換処理を施した表示用画像とする
ことを特徴とする請求項１７または１８記載の印刷プレビュー方法。
【請求項２０】
上記印刷コンテンツまたは上記表示用画像を、上記第２の表示画面の解像度に適合した状態に変換して表示用画像を生成し、上記第２の表示画面に表示する
ことを特徴とする請求項１７乃至１９のいずれか１項記載の印刷プレビュー方法。
【請求項２１】
上記印刷プレビュー画像に対して、拡大処理および／または縮小処理を実行し、
上記印刷コンテンツまたは上記表示用画像のデータを、上記第２の表示画面の解像度に適合した表示用画像に変換する
ことを特徴とする請求項１７乃至２０のいずれか１項記載の印刷プレビュー方法。
【請求項２２】
上記印刷コンテンツを印刷するプリンタ装置において上記変換を実行して上記第２の表
示画面に表示する
ことを特徴とする請求項２０または２１記載の印刷プレビュー方法。
【請求項２３】
上記表示用画像の有無を検出し、上記表示用画像が存在しない場合に、上記印刷コンテンツを変換して上記表示用画像を上記第２の表示画面に表示する
ことを特徴とする請求項２０乃至２２のいずれか１項記載の印刷プレビュー方法。
【請求項２４】
上記第２の表示画面に対してデータを入力可能とし、上記印刷プレビュー画像が表示された第２の表示画面に対して、入力されたデータに応じて、上記印刷コンテンツに追加または除去を施す加工を実行する
ことを特徴とする請求項１７乃至２３のいずれか１項記載の印刷プレビュー方法。
【請求項２５】
上記加工が、上記入力手段により入力されたデータおよび／または上記印刷コンテンツ以外の画像との合成処理である
ことを特徴とする請求項２４記載の印刷プレビュー方法。
【請求項２６】
上記合成処理は、上記印刷コンテンツが変形されて所定の領域内に印刷され、上記所定の領域以外の部分に上記入力手段により入力されたデータおよび／または上記印刷コンテンツ以外の画像を印刷可能な状態にする処理である
ことを特徴とする請求項２５記載の印刷プレビュー方法。
【請求項２７】
上記合成処理が、上記印刷コンテンツに対して縮小処理を実行して所定の領域内に印刷可能な状態にして、上記所定の領域以外の部分に上記入力手段により入力されたデータおよび／または上記印刷コンテンツ以外の画像を印刷可能な状態とする
ことを特徴とする請求項２５または２６記載の印刷プレビュー方法。
【請求項２８】
第２の表示画面に対して範囲指定を行う範囲指定手段により、上記プレビュー表示画面において範囲指定された指定領域を拡大表示する場合に、上記指定領域および／または第２の表示画面の解像度に応じて、上記印刷コンテンツまたは上記表示用画像を再度変換する
ことを特徴とする請求項１７乃至２７のいずれか１項記載の印刷プレビュー方法。
【請求項２９】
請求項１７乃至２８のいずれか１項記載の印刷プレビュー方法を実行可能に構成されている
ことを特徴とする印刷プレビュー装置。
【発明の詳細な説明】
【技術分野】
【０００１】
この発明は、印刷プレビューシステム、印刷プレビュー方法および印刷プレビュー装置に関し、特に、ＴＶ番組などに連動した印刷物のプレビュー方式に適用して好適なものである。
【背景技術】
【０００２】
昨今、デジタル放送、またそのひとつであるデータ放送の開始に伴い、従来のＴＶ放送では有り得なかった数多くのサービス、アプリケーションが可能になってきた。また、子画面でＴＶを視聴できるような無線端末、多機能な制御ができるような表示画面にタッチパネルの付いた端末、リモコン装置といったものも普及し始めている。
【０００３】
上述したようなデジタル放送のサービスとして、データ放送のデータとして番組関連の印刷データを伝送して印刷を実行するということが技術的に可能になってきている。
【０００４】
このような印刷が必要となる情報、すなわち、ＴＶ番組視聴時、視聴とは別途に印刷して保存しておきたい情報として、料理番組におけるレシピ、買い物番組における店舗の地図などがある。これらの情報は、番組視聴後、実際料理を作る際や買い物をするために店に行こうとする際必要なものであり、印刷して後で利用したいものである。この際、この印刷物を、印刷前に印刷物の内容がどのようなものであるかを表示させ確認したい、いわゆるプレビュー表示を行いたい場合がある。
【０００５】
具体的に、例えば、印刷する用紙の選択、縮小印刷を行っても大丈夫かなどの印刷設定情報の設定の判断のため、印刷内容のおおまかな構成（例えば写真部分があるか、文字の大きさなど）、全体のレイアウトを知りたい場合などである。
【０００６】
また、ＴＶ視聴とともに内容を確認していたい場合、例えば、料理のレシピなどは、その印刷物があるのであれば、プレビューで確認しながら視聴したい場合がある。
【０００７】
また、ユーザの要求の多様化に伴い、最終的に印刷される内容に対し、メモなどの情報を追加するという要請がある場合も考えられる。
【０００８】
この印刷のプレビュー表示を実現する手段としては、放送局からプレビュー専用の表示画面を印刷ファイルの一部として印刷データとともに放送し、これをＴＶ側で表示させる場合と、印刷データをＴＶ装置などで表示装置用に展開し表示させる場合が考えられる。
【特許文献１】特開平１０−１６４５２１号公報
【発明の開示】
【発明が解決しようとする課題】
【０００９】
しかしながら、上述の従来のテレビ放送においては、次のような問題があった。すなわち、従来のＴＶ放送においては、例えば図４１に示すように画面に重ねて表示し、図４２に示すように番組画面を縮小して、空いたスペースに情報が表示されるように構成されるのが一般的である。
【００１０】
ところが、このような表示形態においては、番組と情報とが重なってしまったり、番組画面が縮小されて番組が見にくくなったりという問題がある。これらの問題は、印刷内容のプレビュー時においては、特に問題になる。具体的には、例えば、複数で視聴している場合、印刷のプレビュー画面の場合は、すべての視聴者がプレビュー表示を必要とすると
は限らないため、プレビュー表示を望まない視聴者にとっては、ＴＶ視聴の妨害となってしまう。
【００１１】
したがって、この発明の目的は、視聴者により第１の表示画面に表示された画像や映像に連動した印刷物の印刷を行う際に、印刷プレビュー表示を行う場合において、プレビュー表示可能な第２の表示画面が存在する場合、この第２の表示画面に印刷プレビュー画面を表示し、第１の表示画面の視聴の妨げとならないようにすることができ、より良好な印刷プレビューを実行することができる印刷プレビューシステム、印刷プレビュー方法および印刷プレビュー装置を提供することにある。
【００１２】
また、この発明の他の目的は、リモコンなどの手元にある端末にプレビュー画面を表示して、プレビュー画面に対してメモなどのデータを重ね書きすることができ、より利便性が向上された印刷プレビューシステム、印刷プレビュー方法および印刷プレビュー装置を提供することにある。
【課題を解決するための手段】
【００１３】
上記目的を達成するために、この発明の第１の発明は、
視聴映像を表示可能に構成された第１の表示画面および第２の表示画面と、
視聴映像を第１の表示画面に表示するとともに、視聴映像に関連付けされた印刷コンテンツに対応した印刷プレビュー画像を、第２の表示画面に表示する表示手段とを有し、
表示手段により、印刷コンテンツの印刷プレビュー画像を表示可能に構成されている
ことを特徴とする印刷プレビューシステムである。
【００１４】
この第１の発明において、典型的には、第２の表示画面が、第１の表示画面と異なる筐体に設けられている。また、この印刷プレビュー画像は、印刷コンテンツの被印刷媒体に対する印刷結果のレイアウトまたは印刷の内容を視認可能な画像である。
【００１５】
この第１の発明において、典型的には、印刷プレビュー画像が、印刷コンテンツに一対一に関連付けされた印刷コンテンツと異なる表示用画像である。また、印刷プレビュー画像は、印刷コンテンツに対して第２の表示画面用に変換処理が施された表示用画像である。
【００１６】
また、この第１の発明において、典型的には、印刷プレビュー画像は、印刷コンテンツまたは表示用画像を、第２の表示画面の解像度に適合した状態に変換した表示用画像である。または、この第１の発明において、典型的には、印刷プレビュー画像に対して、拡大処理および／または縮小処理を実行する拡大縮小指示手段を有し、拡大縮小指示手段により、印刷コンテンツまたは表示用画像のデータを、第２の表示画面の解像度に適合した状態に変換可能に構成されている。そして、この第１の発明において、典型的には、印刷コンテンツを印刷可能に構成されたプリンタ装置と接続可能に構成され、プリンタ装置において変換が実行されて、第２の表示画面に表示可能に構成されている。
【００１７】
この第１の発明において、典型的には、表示用画像の有無を検出する検出手段を有し、表示用画像が存在しない場合、印刷コンテンツを変換して表示用画像を表示可能に構成されている。
【００１８】
この第１の発明において、典型的には、第２の表示画面に対する入力手段を有し、印刷プレビュー画像が表示された第２の表示画面に対して、入力手段からの入力により、入力されたデータに応じたデータが、印刷コンテンツに追加または除去される加工が施されて印刷するように構成されている。そして、この加工は、入力手段により入力されたデータおよび／または印刷コンテンツ以外の画像との合成処理である。また、この合成処理は、
印刷コンテンツが変形されて所定の領域内に印刷され、所定の領域以外の部分に入力手段により入力されたデータおよび／または印刷コンテンツ以外の画像を印刷可能な状態にする処理である。また、この合成処理は、印刷コンテンツに対して縮小処理を実行して所定の領域内に印刷し、所定の領域以外の部分に入力手段により入力されたデータおよび／または印刷コンテンツ以外の画像を印刷するように構成されている。
【００１９】
この第１の発明において、典型的には、第２の表示画面に対する範囲指定手段を有し、プレビュー表示画面において範囲指定された指定領域を拡大表示する場合に、指定領域および／または第２の表示画面の解像度に応じて、印刷コンテンツまたは表示用画像を再度変換して表示可能に構成されている。
【００２０】
この第１の発明において、典型的には、第２の表示画面が、リモコン装置に設けられている。また、この第１の発明において、典型的には、入力手段が、リモコン装置の表示画面に設けられたタッチパネルである。
【００２１】
この発明の第２の発明は、
視聴映像を第１の表示画面および／または第２の表示画面に表示し、
視聴映像を第１の表示画面に表示するとともに、視聴映像に関連付けされた印刷コンテンツに対応した印刷プレビュー画像を、第２の表示画面に表示する
ことを特徴とする印刷プレビュー方法である。
【００２２】
この第２の発明において、典型的には、印刷プレビュー画像を、印刷コンテンツに一対一に関連付けされた印刷コンテンツと異なる表示用画像とする。また、印刷プレビュー画像を、印刷コンテンツに対して第２の表示画面用に変換処理を施した表示用画像とする。
【００２３】
この第２の発明において、典型的には、印刷コンテンツまたは表示用画像を、第２の表示画面の解像度に適合した状態に変換して表示用画像を生成し、第２の表示画面に表示する。また、典型的には、印刷プレビュー画像に対して、拡大処理および／または縮小処理を実行し、印刷コンテンツまたは表示用画像のデータを、第２の表示画面の解像度に適合した表示用画像に変換する。そして、印刷コンテンツを印刷するプリンタ装置において変換を実行して第２の表示画面に表示する。
【００２４】
この第２の発明において、典型的には、表示用画像の有無を検出し、表示用画像が存在しない場合に、印刷コンテンツを変換して表示用画像を第２の表示画面に表示する。
【００２５】
この第２の発明において、典型的には、第２の表示画面に対してデータを入力可能とし、印刷プレビュー画像が表示された第２の表示画面に対して、入力されたデータに応じて、印刷コンテンツに追加または除去を施す加工を実行する。また、好適には、加工が、入力手段により入力されたデータおよび／または印刷コンテンツ以外の画像との合成処理である。そして、この合成処理は、典型的には、印刷コンテンツが変形されて所定の領域内に印刷され、所定の領域以外の部分に入力手段により入力されたデータおよび／または印刷コンテンツ以外の画像を印刷可能な状態にする処理である。
【００２６】
この第２の発明において、典型的には、合成処理は、印刷コンテンツに対して縮小処理を実行して所定の領域内に印刷可能な状態にして、所定の領域以外の部分に入力手段により入力されたデータおよび／または印刷コンテンツ以外の画像を印刷可能な状態とするものである。
【００２７】
この第２の発明において、典型的には、第２の表示画面に対して範囲指定を行う範囲指定手段により、プレビュー表示画面において範囲指定された指定領域を拡大表示する場合
に、指定領域および／または第２の表示画面の解像度に応じて、印刷コンテンツまたは表示用画像を再度変換する。
【００２８】
この発明の第３の発明は、
上述した方法のいずれかの印刷プレビュー方法を実行可能に構成された
ことを特徴とする印刷プレビュー装置である。
【００２９】
また、この発明は、上述した技術的思想を含み、これらの技術的思想のあらゆる組み合わせを包含するものである。
【発明の効果】
【００３０】
以上説明したように、この発明による印刷プレビューシステム、印刷プレビュー方法および印刷プレビュー装置によれば、視聴者により第１の表示画面に表示された画像や映像に連動した印刷物の印刷を行う際に、印刷プレビュー表示を行う場合において、プレビュー表示可能な第２の表示画面が存在する場合、この第２の表示画面に印刷プレビュー画面を表示し、第１の表示画面の視聴の妨げとならないようにすることができ、より良好な印刷プレビューを実行することができる。
【００３１】
また、この発明による印刷プレビューシステム、印刷プレビュー方法および印刷プレビュー装置によれば、ＴＶ視聴などで用いられる第１の表示画面とは異なった、手元にある端末などの第２の表示画面に対し、メモなどの必要なデータを重ね書きしたり、範囲指定を行ったりすることができ、より利便性を向上させることが可能となる。
【発明を実施するための最良の形態】
【００３２】
（第１の実施形態）
以下、この発明の実施形態について図面を参照しながら説明する。なお、以下の実施形態の全図においては、同一または対応する部分には同一の符号を付す。
【００３３】
まず、この発明の第１の実施形態による印刷プレビューシステムについて説明する。図１に、この第１の実施形態による印刷プレビューシステムの全体を示す。
【００３４】
図１に示すように、この第１の実施形態による印刷プレビューシステムは、ＴＶ装置１１、リモコン装置１２、プリンタ装置１３を有し、これらがネットワークを介して接続されて構成されている。
【００３５】
ＴＶ装置１１は、放送局からのテレビ受信、映像、音声、および操作データ、印刷プレビューデータなどの生成、表示、および音声出力を実行可能に構成されている。そして、プリンタ装置１３に対して、印刷データを送信して、印刷を実行させることができるように構成されている。
【００３６】
リモコン装置１２は、ＴＶ視聴者が、ＴＶ装置１１、プリンタ装置１３などを制御、操作するのに使用するものである。また、ＴＶ装置１１から印刷プレビューデータを受信し、表示可能に構成されている。
【００３７】
また、プリンタ装置１３は、ネットワーク２１を介してＴＶ装置１１に接続され、リモコン装置１２の操作に基づいて、ＴＶ装置１１独自の判断により、データ放送の印刷データなどの印刷を実行可能に構成されている。そして、ネットワーク２１は、プリンタ装置１３などを接続したり、データの送受信や制御を実行したりするためのものである。
【００３８】
図２に、この第１の実施形態によるＴＶ装置１１の詳細を示す。図２に示すように、こ
の第１の実施形態によるＴＶ装置１１は、チューナ部１１０１、データ分離部１１０２、ＡＶデコード部１１０３、音声制御部１１２１、音声出力部１１２２、グラフィック制御部１１３１、表示合成制御部１１３３、表示部１１３４、メモリ部１１５１、インタフェース部１１６１、通信部１１７１、リモコン制御部１１８１、データ送受信部１１８２およびシステム制御部１１９１を有して構成されている。
【００３９】
チューナ部１１０１は、受信したＴＶ放送の高周波ＴＶ信号を増幅、希望局の選局を行い、映像／音声番組、各種データが混合されたＴＳデータを復調するための回路である。
【００４０】
データ分離部１１０２は、上述したＴＳデータを、映像／音声番組データ、番組情報データ、番組制御文書データ、印刷用データ、または、データ放送用データなどに分離するための回路である。このように分離されたデータのうちの、映像／音声番組データは、後述するＡＶデコード部１１０３に供給される。また、番組情報データ、番組制御文書データ、印刷データ、およびその他のデータは、内部バス２２を通して、メモリ部１１５１に供給される。
【００４１】
放送映像／音声データのＡＶデコード部１１０３は、上述のように分離された、映像／音声番組データや、ＣＭ放送データをデコードして、音声制御部１１２１、グラフィック制御部１１３１に供給する。
【００４２】
音声制御部１１２１は、上述したＡＶデコード部１１０３および内部バス２２からの音声データを、切り替えまたは合成、また、音量、音質、臨場感などを制御し、後述する音声出力部１２１２に供給する処理制御手段である。
【００４３】
音声出力部１１２２は、音声制御部１１２１から供給された音声信号を増幅して、スピーカ（図示せず）から音声として出力するための回路である。
【００４４】
グラフィック制御部１１３１は、後述するシステム制御部１１９１の制御に基づいて、データ放送画面、この第１の実施形態によるＴＶシステム内のアプリケーション画面、メッセージなどのＧＵＩ画面などを生成するための制御回路である。
【００４５】
表示合成制御部１１３３は、ＡＶデコード部１１０３からの番組またはＣＭ放送の画像データと、グラフィック制御部１１３１において生成された画像データを、システム制御部１９９１による制御に基づいて、切り替えたり、合成したり、拡大や縮小をしたり、その他の各種変換や補正などを実行したりした後、後述する表示装置１２２２に供給するための回路である。
【００４６】
この表示合成制御部１１３３は、複数の独立した画像を階層的に表示可能で、ＡＶデコード部１１０３からの画像データの他、データ放送とアプリケーションを独立に描画、制御可能なデータ放送プレーンとアプリケーションプレーンとの２つのプレーンを有しており、データ放送プレーンはさらに、動画プレーン、静止画プレーン、文字図形プレーンなどの複数プレーンからなり、これらも独立に制御可能である。そのため、データ放送画面全体を縮小表示し、その空いた部分に、アプリケーションを表示する、または、データ放送プレーンとアプリケーションプレーンを重ねて表示することなどが可能である。
【００４７】
また、表示部１１３４は、この表示合成制御部１１３３からの画像データを表示する表示装置である。
【００４８】
メモリ部１１５１は、データ分離部１１０２において分離された番組情報データ、番組制御文書、印刷用データ、およびその他データ放送データ等を保存する記憶手段である。
また、このメモリ部１１５１には、課金制御データや、視聴者の視聴履歴データなど、種々のデータを保存される。
【００４９】
インタフェース（Ｉ／Ｆ）部１１６１は、プリンタ装置１３およびＴＶ装置１１に接続するためのものである。さらにこのＩ／Ｆ部１１６１を通じて、ＴＶ装置１１によりプリンタ装置１３が制御され、ＴＶ装置１１から送信された印刷データがプリンタ装置１３により印刷される。
【００５０】
通信部１１７１は、ＴＶ装置１１による、放送局管理サーバとの接続やインターネットなどとの接続、有料放送における課金制御などによる各種データの送受信を実行する際に、その通信を実行するための回路である。また、この通信部１１７１によって、後述するデータ放送データによって指定されたＵＲＬから、印刷データや印刷プレビューデータを受信する。これらの受信したデータは、メモリ部１１５１に保存される。
【００５１】
リモコン制御部１１８１は、赤外線により通信可能に構成されたリモコン送受信制御部である。そして、ＴＶ視聴者によりリモコン装置１２が操作されてデータの送受信が実行されると、データの送受信が実行される。このリモコン制御部１１８１を通じて受信されたデータは、システム制御部１１９１に転送され供給される。このデータの転送時においては、データがどの装置から送信されたデータであるかの情報も付加される。そして、この付加された情報および受信されたデータに基づいて、システム制御部１１９１により制御が決定される。
【００５２】
データ送受信部１１８２は、リモコン装置１２とデータの送受信を実行し、ＴＶ装置１１との間において、印刷プレビューデータの送受信を実行したり、リモコン装置１２からタッチパネル情報などの送受信を実行したりするための回路である。
【００５３】
システム制御部１１９１は、ＴＶ装置１１の内部の各回路を統括的に制御するための処理制御手段である。このシステム制御部１１９１は、ＣＰＵ、バス制御部、プログラム格納部、パラメータ保存部、ＩＤ保存部、時計部、タイマ部、ワークメモリ部などから構成される。
【００５４】
具体的には、システム制御部１１９１により、ＴＶ受信においては、上述したチューナ部１１０１およびデータ分離部１１０２の制御が行われて、チャンネル切り替えが実行され、所望の放送電波が受信されるように、後述するＴＳデータが復調される。そして、このＴＳデータから、番組データと、番組情報データと、データ放送データ（後述する制御文書や印刷データ等）とが分離される。これらのデータのうちの番組データは、ＡＶデコード部１１０３に供給され、番組情報データおよびデータ放送データは、内部バス２２を通じてメモリ部１１５１に格納される。
【００５５】
また、システム制御部１１９１により、格納された番組情報データやデータ放送データが解析されて、課金制御などを含むアクセス制御や、番組情報が抽出されて、ＥＰＧ（電子番組ガイド（Electronic Program Guide）に関するデータ）の構築などが実行される。また、システム制御部１１９１により、データ放送データから制御文書が検出されて、データ放送の制御や表示制御が実行される。また、システム制御部１１９１により、印刷用データの検出、印刷プレビュー制御、プリンタ装置１３に対する印刷指示、印刷データの転送制御などが実行される。また、システム制御部１１９１により、グラフィック制御部１１３１が制御され、上述したデータ放送や、印刷プレビュー画像の表示、ＴＶ装置１１におけるアプリケーションの表示、メッセージや操作パネルなどの表示が実行される。
【００５６】
さらに、システム制御部１１９１により、表示合成制御部１１３３が制御されて、ＡＶ
デコード部１１０３から供給された映像データとグラフィック制御部１１３１などからの画像データとの合成や補正などの、各種情報表示などが実行されて、表示部１１３４に表示される。同様に、システム制御部１１９１により、音声制御部１１２１が制御され、音声の合成や出力制御が実行されて、音声出力部１１２２に対する出力制御が実行される。
【００５７】
また、システム制御部１１９１により、リモコン装置１２との間においてデータの送受信が行われ、リモコンキーやタッチパネル情報などの受信データに基づいて、タッチパネル上における操作ボタンの接触位置と操作ボタンの位置情報とが比較され、いずれの操作ボタンが選択されたかが判断される。そして、この判断に基づいて、ＴＶ装置１１内の制御の全般およびプリンタ装置１３の制御が実行される。また、システム制御部１１９１により、タッチパネルに表示された操作ボタンの位置と、印刷プレビューデータの送信とが実行され、プレビューデータの表示が指示される。
【００５８】
内部バス２２は、データおよび制御バスである。また、上述したように、この内部バス２２は、画像、音声データの転送および各部情報の転送に使用されるＴＶ装置１１内のバスである。
【００５９】
（リモコン装置）
次に、この第１の実施形態において、ＴＶ視聴者による操作が実行されるリモコン装置１２について説明する。図３に、この第１の実施形態において用いられるリモコン装置１２の詳細構成を示す。
【００６０】
図３に示すように、この第１の実施形態によるリモコン装置は、キーボタン入力部１２０１、タッチパネル付表示部１２０２、データ送受信部１２０７、キーデータ受信部１２０８、およびリモコン制御部１２０９を有して構成されている。
【００６１】
キーボタン入力部１２０１は、後述する各種ボタンから構成される。このリモコン装置１２は、リモコン制御部１２０９によって走査され、押下したキーボタン対応のキーコードが発生され、リモコン装置１２のＩＤ情報を付加してＴＶ装置１１に送信される。
【００６２】
タッチパネル付表示部１２０２は、表示部１２０２ａおよびタッチパネル部１２０２ｂから構成される。このタッチパネル付表示部１２０２は、データ送受信部１２０７により受信されたデータに基づいて、メッセージ、走査パネル、および印刷プレビューデータなどの画像を表示する。
【００６３】
表示部１２０２ａは、情報を表示するためのものである。また、タッチパネル部１２０２ｂは、リモコン制御部１２０９により制御され、ＴＶ視聴者などのユーザが指などで押下した表示装置上における位置情報が、データ送受信部１２０７を通してＴＶ装置１１に送信される。
【００６４】
データ送受信部１２０７は、ＴＶ装置１１のデータ送受信部１１８２との間において、無線通信によって、タッチパネルデータ、表示データ、または制御データなどの各種データの送受信を行うためのものである。
【００６５】
キーデータ受信部１２０８は、上述したデータ送受信部１２０７とは別に、赤外線を用いてリモコンキーのデータをＴＶ装置１１のリモコン制御部１１８１に送信するためのものである。なお、このリモコン装置１２におけるキーコードデータは、状況に応じて、データ送受信部１２０７により送信されることもある。
【００６６】
リモコン制御部１２０９は、リモコン装置１２を統括的に制御するためのリモコン用の
制御手段である。このリモコン制御部１２０９によりキーボタン入力部１２０１およびタッチパネル部１２０２ｂが操作され、キーボタンやタッチパネルの押下状況が検出される。キーボタンやタッチパネルがユーザにより押下された場合、対応するキーコードや表示装置上の位置情報が、データ送受信部１２０７およびキーデータ受信部１２０８からＴＶ装置１１に送信される。また、データ送受信部１２０７によってデータが受信されると、このデータが表示部１２０２ａに表示されたり、表示の制御が行われたりする。
【００６７】
図４に、この第１の実施形態において使用されるリモコン装置１２の詳細を示す。
【００６８】
このリモコン装置１２のキーボタン入力部１２０１は、電源キー１２０１ａ、音量キー１２０１ｂおよび、チャンネルキー１２０１ｃなどの、通常のＴＶ視聴時に使用するキーのほかに、データ放送への移行に使用するデータ放送キー１２０１ｄ（以下、「ｄキー」）、ＴＶアプリケーション操作用のメニューキー１２０１ｅ、データ放送およびアプリケーションなどのボタン、操作パネルなどの操作を行うためのカーソルキー１２０１ｆ（決定キーや取消キーなどを含む）が備えられている。
【００６９】
また、例えば液晶表示装置などのタッチパネル付表示部１２０２が設けられている。このタッチパネル付表示部１２０２においては、表面にタッチパネルセンサが付加されており、視聴者などのユーザが指などを接触させると、その情報がリモコン制御部１２０９により検出されるように構成されている。
【００７０】
（プリンタ装置）
次に、この第１の実施形態において、印刷を実行するプリンタ装置１３について説明する。図５に、この第１の実施形態において用いられるプリンタ装置１３の詳細を示す。
【００７１】
図５に示すように、この第１の実施形態によるプリンタ装置１３は、プリンタ機構部１３０１、データ展開部１３０２、データ格納部１３０３、表示部１３０７、インタフェース部１３０８を有して構成されている。
【００７２】
プリンタ機構部１３０１は、紙送り機構部、インクタンク部、印字ヘッド部、各種モータおよびセンサから構成されている。このプリンタ機構部１３０１は、後述するプリンタ制御部１３０９により制御されて、紙に印刷を実行する機構部である。なお、この第１の実施形態においては、このプリンタ装置１３の最大用紙サイズとしては、上限をＡ４サイズとすることが好ましい。この場合には、Ａ４サイズを超える寸法の用紙に対しては印刷を実行することができないが、Ａ４サイズより大きいサイズの用紙を印刷可能に構成することも可能である。
【００７３】
データ展開部１３０２は、ＴＶ装置１１などから送信される印刷データにより、上述したプリンタ機構部を通し、紙へ印字するデータを作成する際、また、後述する表示部１３０７に送信する印刷プレビューデータを生成する際に用いられる。
【００７４】
データ格納部１３０３には、印刷に必要なフォントなどのデータが格納されている。また、表示部１３０７は、印刷時の状況やメッセージなどを表示したり、印刷プレビューデータを表示したりすることが可能である。
【００７５】
インタフェース部１３０８は、ネットワーク２１を通じて、印刷制御データおよび印刷データを受信可能に構成されている。印刷制御データおよび印刷データを受信すると、データ格納部１３０３に格納されたフォントデータを用いて、上述したデータ展開部１３０２が制御される。これにより、紙に対する印字データが生成され、プリンタ機構部１３０１が制御されて印刷が実行される。また、プレビュー要求コマンドを受信し、表示部１３
０７の解像度に合わせた表示データを生成し、印刷プレビュー表示を行う。
【００７６】
図６に、放送局より送信される放送データ、いわゆるＴＳデータの内容を示す。この放送データは、各国の放送体系、規格に基づいて、作成、放送、受信、動作が行われ、この第１の実施形態においては、日本国内のデジタル放送の標準規格（ＡＲＩＢ（電波産業界）標準規格）に基づいた規格である。
【００７７】
そして、図６に示すように、この第１の実施形態による放送データは、ヘッダ部４１の部分、番組データ４２の部分、およびデータ放送データ４３の部分の３部分から構成されている。
【００７８】
ヘッダ部４１は、いわゆるＳＩと言われる番組関連情報と、他の制御情報とから構成されている。番組データ４２は、いわゆる映像／音声ストリームとして伝送される番組部分であり、視聴者が視聴する番組である。
【００７９】
データ放送データ４３は、番組、データ放送の表示、印刷などの制御のための制御文書、この文書の指示により表示される表示、印刷される表示、および印刷データなどから構成される。表示データには、印刷プレビューデータが含まれており、その属性情報として解像度などの情報が含まれている。
【００８０】
また、印刷データには、標準用紙サイズ、用紙種別、印刷品質などの属性情報が含まれている。上述した制御文書は、コンテンツ記述言語ｂｍｌで記述されたｂｍｌ文書により記述されており、あるイベント割り込みによって起動することが可能である。イベント割り込みとしては、放送局からの指示イベント、時刻による割り込みイベント、または特定のリモコンキーによるイベントなどがある。また、上述の表示、印刷などデータとしては、動画、静止画、音声または文字などのモノメディアデータや、番組に連動して印刷される印刷データなどが含まれる。上述の印刷データプレビュー画像は、上述したモノメディア静止画データとして伝送される。
【００８１】
これらの放送データは、番組データ４２が番組の放送時間に沿って１回のみ伝送されるのに対し、データ放送データ４３は、同一データが何度か繰り返して伝送される、いわゆるデータカルーセル方式により伝送される。そして、これらがパケット化されてヘッダ部４１が加えられ、放送用ＴＳデータが構成される。
【００８２】
また、この第１の実施形態による制御文書は、データ放送の表示制御、印刷内容、印刷プレビュー、印刷ボタンの表示などを行うための表示制御文書、視聴者によりプレビュー印刷ボタンが選択された際に、プレビュー制御部、印刷制御部へ指示を行うプレビューおよび印刷制御文書などから構成されている。
【００８３】
図７に、この第１の実施形態による印刷ファイルの構造を示す。図７に示すように、この印刷ファイルは、メモリ部１１５１内に格納されている。この印刷ファイルは、上述したデータ放送データ４３から印刷文書に基づいて検出されたプレビューデータおよび実際の印刷に使用される印刷データと、印刷ファイル名およびこの印刷データの印刷に関するモードと、用紙サイズ、印刷モード、拡大・縮小印刷または位置情報などの属性情報と、印刷データが含まれる番組に関する属性情報（放送日時、チャンネル、番組名など）とから構成される。
【００８４】
図８に、印刷プレビュー可能表示装置登録テーブルの内容を示す。この登録テーブルは、上述した印刷ファイルにおけると同様に、このメモリ部１１５１に格納される。そして、ＴＶ装置１１において、電源投入時、または、外部装置の接続時、接続されている装置
に表示装置を有していて、ＴＶ装置１１からの表示を行うことが可能であるかどうかを調査し、可能な装置の機器名、表示サイズ、解像度などの情報を、図８に示す印刷プレビュー可能表示装置登録テーブルに登録する。
【００８５】
図９に、上述したシステム制御部１１９１の制御部別の構成の概略を示す。ＯＳ部１１９１ｏｓは、基本動作制御部であり、このＯＳ部１１９１ｏｓによる管理に基づいて、データ放送制御部１１９１ａ、プレビュー制御部１１９１ｂ、印刷制御部１１９１ｃおよび、その他の制御部１１９１ｄが動作される。
【００８６】
データ放送制御部１１９１ａは、上述したｂｍｌ文書により記述された制御文書の制御部としてのｂｍｌブラウザである。このデータ放送制御部１１９１ａにより、制御文書に応じた、図４２に示すデータ放送画面の表示、印刷、印刷プレビューに関する調査、または印刷プレビューボタンの押下を検出し、後述するプレビュー制御部および印刷制御部に対する指示などが実行される。
【００８７】
また、この発明の第１の実施形態によるＡＰＩ（他制御部へのコマンド）として、印刷サポート問い合わせコマンド、プレビューサポート問い合わせコマンド、プレビュー要求コマンド、印刷要求コマンドがある。
【００８８】
印刷サポート要求コマンドは、ＴＶ装置１１にプリンタが接続されており、印刷可能な状態であるかを印刷制御部に対して問い合わせるコマンドあり、印刷制御部からは、対応、非対応の戻り値がある。
【００８９】
プレビューサポート問い合わせコマンドは、印刷サポートコマンドと同様、ＴＶ装置１１が現在番組を表示している以外に、印刷プレビュー可能な表示装置を有しているか、または、接続され制御可能であるかをプレビュー制御部に対して問い合わせるコマンドである。そして、このプレビューサポート問い合わせコマンドは、プレビュー制御部から、対応している場合はその機器とサイズを戻り値として返し、対応していない場合は、非対応を戻り値として返す。
【００９０】
プレビュー要求コマンドは、上述したプレビューサポートコマンドで外部プレビュー対応である場合、プレビュー制御部１１９１ｂに対して発行される。引数としては、プレビュー先、プレビューデータのＵＲＩ（メモリ部１１５１の論理アドレス）、プレビュー画面で表示、および検出するボタン（印刷、キャンセルなど）があり、選択されたボタンが戻り値となって、このボタンに応じてデータ放送制御部の次の動作が決定される。
【００９１】
印刷要求コマンドは、制御文書内の要求、上述した印刷ボタンの押下の検知により、印刷制御部１１９１ｄに対して発行される。引数としては、印刷データ、プレビューデータのＵＲＩ、印刷ファイル名、および上述した番組に関する情報などである。また、プレビュー制御部１１９１ｂにより、印刷プレビューの制御が行われる。
【００９２】
上述した、ｂｍｌブラウザからプレビューサポートコマンドの指示が供給されると、図８に示すように、印刷プレビュー可能表示装置登録テーブルの内容に基づいて、印刷プレビュー可能な表示装置を確認する。そして、戻り値として、対応している場合においてはその機器とサイズ、対応していない場合においては非対応が戻り値として返される。
【００９３】
また、プレビュー要求コマンドがあると、この引数に基づいてプレビュー表示制御が行われる。そして、表示したボタンが押下された場合、その情報をデータ放送制御部１１９１ａに返す。印刷制御部１１９１ｃは、上述のｂｍｌブラウザから印刷サポート問い合わせコマンドがあると、プリンタが接続されているかどうかを調査する。この結果、プリン
タが接続され印刷可能であれば、印刷対応、接続されていない場合または印刷不可の場合には、非対応を返す。
【００９４】
また、印刷要求コマンドの指示があると、メモリ部１１５１内のデータ放送データから印刷用のデータを検出して印刷データが生成される。また、印刷プレビューにおいても、データが検出されて、メモリ部１１５１内の印刷バッファ領域に、上述の図７に示すように印刷ファイルとして保存される。
【００９５】
また、用紙やモードなどの各種設定に関わるＧＵＩが表示され、視聴者によるリモコン操作により印刷開始要求があると、インタフェース部１１６１を通じて、プリンタ装置１３が制御される。この制御とともに、メモリ部１１５１内の印刷バッファ領域から上述した印刷データをプリンタ装置１３へ伝送し、印刷制御が実行される。また、その他の制御部１１９１ｄは、上述した制御以外のＴＶ装置１１の制御全般の制御が含まれる。
【００９６】
図４１に示すような従来技術である、印刷データがない場合に番組の関連情報がＴＶ装置１１に表示する場合の一般的な方法においては、番組画面上に、必要情報が重ねて表示される。
【００９７】
また、図４２は、従来技術による、デジタル放送におけるデータ放送において、印刷プレビューデータを表示する一般的な方法である。このうちの図４２Ａが、番組対応の印刷コンテンツの存在を提示し、印刷を操作する印刷ボタンやプレビューボタンなどのＧＵＩ表示である。このＧＵＩにおいては、リモコン装置１２のカーソルキーの押下によってフォーカスが移動され、決定キーの押下によって実行される。また、図４２Ｂは、図４２Ａにおいて、プレビューが選択されて実行された場合における、従来技術による一般的な印刷プレビュー画面と、その後の操作のためのＧＵＩ画面である。なお、プレビュー画面は、番組画面が縮小されて、この縮小によって空いたスペースに表示される。
【００９８】
図１０に、ＴＶ視聴画面で、表示すべきデータ放送があることを視聴者に提示するために、ｄマークを表示した画面を示す。この図１０においては、リモコンのｄキーを押下することによって、図４２Ａなどのデータ放送画面が表示される。
【００９９】
図１１に、この発明においてＴＶ画面を含め、印刷プレビューを含めプレビュー可能な複数表示装置がある場合、視聴者にプレビュー先を選択させるためのＧＵＩ（操作ボタン）表示の例を示す。図１２に、第１の実施形態において、リモコン装置１２の表示部に印刷プレビューと、ＧＵＩ（操作ボタン）とが表示された状態を示す。
【０１００】
（第１の動作）
次に、この第１の実施形態において、第１の動作として、リモコン装置１２の表示部１２０２ａに印刷データのプレビューが行われる動作について説明する。図１３に、この第１の実施形態による第１の動作のフローチャートを示す。
【０１０１】
図１３に示すように、この第１の実施形態によるＴＶ番組は、番組連動のデータ放送として、ある時刻になると料理のレシピを印刷できるようなデータ放送制御文書と印刷データ、そして印刷プレビューデータが番組とともに放送されているケースを想定する。
【０１０２】
視聴者は、ＴＶ装置１１の電源投入後、チャンネルを上述した料理番組に合わせ、番組の視聴を開始する。なお、プリンタ装置の電源もＯＮとなっており、使用可能な状態にあるものとする。
【０１０３】
まず、ＴＶ装置１１のシステム制御部１１９１の他の制御部１１９１ｄが、上述のよう
に接続されている装置に表示部が設けられ、ＴＶ装置１１からの表示を行うことが可能であるかどうかを調査し、可能な装置の機器名、表示サイズ、および解像度といった情報を、図８に示すように、印刷プレビュー可能表示装置登録テーブルに登録する（ＳＴ２１０１）。
【０１０４】
同時に、放送電波を受信、映像と音声をデコードして、表示、音声出力を行うとともに、ＳＩ情報、データ放送データを分離し、メモリ部１１５１に保存する。
【０１０５】
そして、データ放送制御部１１９１ａは、この中からデータ放送制御文書を検知して、このデータ放送制御文書に従ってデータ放送を制御し、番組の表示などを実行する。そして、番組開始後の所定時間Ｔ０が経過すると、データ放送データの制御文書に番組対応の印刷コンテンツの存在を提示するためのスクリプト文書を検知する（ＳＴ２１０２）。
【０１０６】
次に、印刷データが検知されると、併せて印刷プレビューデータの存在の有無が検知されて、データ放送制御部１１９１ａ内に保存される（ＳＴ２１０３）。そして、印刷データまたは印刷属性データが存在する場合は、印刷プレビューデータを含め、メモリ部１１５１内に印刷ファイルとして生成して保存する（ＳＴ２１０５）。
【０１０７】
そして、印刷サポートコマンド、および印刷プレビューサポート問い合わせコマンドを、印刷制御部１１９１ｃ、プレビュー制御部１１９１ｂに発行し、ＴＶ装置１１が印刷、および、印刷プレビューも可能であることを検知する（ＳＴ２１０７）。
【０１０８】
そして、時間Ｔ０が経過すると、図１０に示すように、データ放送の存在を提示するｄマークが表示される（ＳＴ２１０８）。この状態で、視聴者がリモコン装置のｄキーを押下すると、画面の右下に、図１１に示す印刷ボタン、プレビューボタン、キャンセルボタンのＧＵＩ表示が行われる（ＳＴ２１０９）。ここで、視聴者が、キャンセルボタンを選択して、キャンセルボタンにフォーカスさせ、決定キーを押下した場合（ＳＴ２１１０：キャンセル）、ステップＳＴ２１７２に移行して、キャンセル処理として上述した図１１の印刷コンテンツの提示画面を消去して、図１０の画面に戻る。
【０１０９】
また、視聴者が、上述したＧＵＩ表示から印刷ボタンを選択した場合、すなわち、印刷ボタンにフォーカスさせて決定キーを押下した場合（ＳＴ２１１０：印刷）、ステップＳＴ２１３１に移行して、データ放送制御部１１９１ａにより、印刷制御部１１９１ｃに印刷要求コマンドが発行される。そして、印刷制御部１１９１ｃにより、視聴者に必要なＧＵＩが出力され、インタフェース部１１６１を介して、プリンタ装置１３が制御されて印刷が実行される（ＳＴ２１３２）。
【０１１０】
一方、視聴者が、プレビューボタンを選択した場合、すなわちプレビューボタンにフォーカスさせて決定キーを押下した場合（ＳＴ２１１０：プレビュー）、ステップＳＴ２１１１に移行して、データ制御部１１９１ａにより、外部プレビューをサポートしているかどうかが確認される。
【０１１１】
ステップＳＴ２１１１においては、外部プレビュー装置非対応で、外部装置プレビュー不可である場合に、印刷プレビューデータが存在するか否かが調査される（ＳＴ２１５１）。この調査の結果、存在する場合には、受信したデータ放送制御文書に基づいて、データ放送制御部１１９１ａ内の制御により、ＴＶ装置１１において印刷プレビューが実行される。
【０１１２】
すなわち、まず、メモリ部１１５１から図７に示す印刷プレビューデータが読み出され、グラフィック制御部１１３１および表示合成制御部１１３３が制御されて、表示部１１
３４に、図４２Ｂに示すような印刷プレビューが表示される。これとともに、視聴者の次の操作のための印刷ボタンやキャンセルボタンが表示される（ＳＴ２１５２）。
【０１１３】
その後、上述したステップＳＴ２１１０またはステップＳＴ２１５３において、印刷ボタンが選択された場合は、上述と同様、ステップＳＴ２１３１において印刷制御部１１９１ｃに印刷コマンドが発行され、ステップＳＴ２１３２において印刷処理が行われる。他方、ステップＳＴ２１５３においてキャンセルボタンが選択された場合は、キャンセル処理（ＳＴ２１７２）が行われる。また、ステップＳＴ２１５１において、印刷プレビューデータが存在しない場合は、ＳＴ２１９１に移行して、印刷データをＴＶ装置１１であらかじめ決められた解像度に展開されて、ＴＶ表示が縮小され、操作ボタンが作成されて空いたスペースに表示される。
【０１１４】
また、ステップＳＴ２１１１において、外部装置プレビューが可能である場合、ＳＴ２１１２に移行して、データ放送制御部１１９１ａにより、図１に示すメモリ部１５１内に登録された図８に示すプレビュー可能表示装置登録テーブルが参照されて、プレビューをどこに表示させるかを選択させる、図１１に示すようなＴＶボタン、リモコンおよびプリンタなどの各種ボタンのプレビュー場所選択ＧＵＩ表示が行われる。
【０１１５】
そして、次のステップとして、視聴者が、ＴＶボタン、リモコン、プリンタの３つのボタンのいずれかを選択すると、データ放送制御部１１９１ａは、プレビュー制御部１１９１ｂにプレビュー要求コマンドを発行し、印刷用プレビューの実施を指示する。
【０１１６】
ＴＶボタンを選択した場合は、ＴＶ装置へのプレビュー要求コマンドを発行後、上述の外部プレビュー装置がサポートされていない場合と同様の処理が行われる。
【０１１７】
プリンタボタンが選択された場合、プレビュー制御部１１９１ｂにプリンタへのプレビュー要求コマンドが発行される（ＳＴ２１１４）。そして、プレビュー制御部１１９１ｂにより、このプレビュー要求コマンドに従って、プリンタ装置１３へのプレビュー処理が実行される（ＳＴ２１８１）。なお、詳細は第２の動作例として後述する。そして、リモコンボタンが選択されると、プレビュー制御部１１９１ｂに、リモコン装置１２へのプレビューコマンドを発行する（ＳＴ２１１５）。
【０１１８】
次に、図９のプレビュー可能表示装置登録テーブルから、リモコン装置１２における表示部１２０２ａの解像度性能を調査する（ＳＴ２１２１）。ここで、図１２に示すように、印刷プレビューデータの解像度（画素数）がリモコンの表示装置の解像度に比して低い場合、または、印刷ファイル内に印刷プレビューデータがない場合には、プレビュー制御部１１９１ｂにおいて、プレビュー用表示装置であるリモコン装置１２の表示部１２０２ａの解像度に合わせて、図７に示す印刷ファイル内の印刷データからプレビューデータを生成し、視聴者の次の操作ボタンとともにリモコン装置の表示装置に表示する（ＳＴ２１２２、ＳＴ２１６１）。
【０１１９】
一方、図７に示す印刷ファイル内の印刷プレビューデータの解像度（画素数）がリモコンの表示装置の解像度と同じ、または高い場合は、印刷用プレビューデータをそのまま、または間引く形の解像度変換を行って、表示データを生成し、他の操作ボタンデータとともに通信部１１７１を通して、リモコン装置１２に送信し、これを受信したリモコン制御部１２０９は、リモコン装置の表示部１２０２ａに、この表示データを表示する（図１２およびＳＴ２１２２・ＳＴ２１２３）。なお、番組とともに伝送される印刷プレビューデータを表示した場合と、印刷データから生成したプレビューデータを表示した場合は、全く同一になるとは限らない。
【０１２０】
そして、この印刷プレビューが表示された状態で、視聴者が、印刷開始ボタンを選択すると、プレビュー制御部１１９１ｂは、プレビューコマンドの返り値として、データ放送制御部１１９１ａに、“印刷”を返す（ＳＴ２１２５・ＳＴ２１２６）。すると、上述と同様、データ放送制御部１１９１ａは、これを受け、印刷制御部１１９１ｃに、印刷要求コマンドを発行し（ＳＴ２１３１）、印刷制御部から視聴者に必要なＧＵＩのデータが出力され、インタフェース部１１６１を介して、プリンタ装置１２を制御して印刷が行われる（ＳＴ２１３２）。
【０１２１】
一方、視聴者が、キャンセルボタンを選択した場合、プレビューコマンドの返り値として、データ放送制御部１１９１ａに、“キャンセル”を返し（ＳＴ２１２５・ＳＴ２１７１）、データ放送制御部１１９１ａは、キャンセル処理として、上述した図１２のプレビュー画面を消去し、図１４に示す画面に戻る（ＳＴ２１７２）。以上のようにして、リモコン装置に印刷プレビューが表示される。
【０１２２】
（第２の動作）
次に、第２の動作として、図１４に示すプリンタの表示装置に印刷プレビューを表示する場合について説明する。これは、上述した図１３におけるステップＳＴ２１８１におけるプリンタでのプレビュー処理に該当するものである。
【０１２３】
すなわち、上述したように、プリンタの表示がなされる画面において、プリンタが選択されると、ステップＳＴ２３０１において、データ放送制御部１１９１ａによって、プレビュー要求コマンドが伝送される。
【０１２４】
そして、ステップＳＴ２３０２において、このコマンドが入力されたプレビュー制御部１１９１ｂにより、プレビュー可能表示装置登録テーブルから、プリンタの表示装置の解像度が確認され、ステップＳＴ２３０３に移行する。
【０１２５】
ステップＳＴ２３０３において、表示装置の解像度がプレビューデータの解像度より低い場合、ステップＳＴ２３０４に移行して、プリンタ装置１３に対してプレビュー要求コマンドと印刷プレビューデータとが伝送される。他方、印刷プレビューデータの解像度より低い場合は、ステップＳＴ２３１１に移行して、プレビューコマンドとともに印刷データが伝送される。
【０１２６】
そして、ステップＳＴ２３２１において、このデータがプリンタ装置１３に受信されると、ステップＳＴ２３２２に移行して、このデータに印刷プレビューデータが含まれているか否かが判断される。
【０１２７】
そして、このデータに印刷プレビューデータで含まれている場合、プリンタ制御部１３０９により表示部１３０７の解像度にあわせるように間引き縮小が実行され、ステップＳＴ２３２３に移行して、表示部１３０７に表示される。他方、データが印刷データであり、印刷プレビューデータが含まれていない場合、データ展開部１３０２により、表示部１３０７の解像度に合わせて印刷データが展開された後、ステップＳＴ２３３１に移行して、表示部１３０７に表示される。
【０１２８】
（第２の実施形態）
次に、この発明の第２の実施形態による印刷プレビューシステムについて説明する。図１５は、この第２の実施形態による印刷プレビューシステムを示す。この図１５は、第１の実施形態による印刷プレビューシステムに無線表示端末１４を追加した形となっている。
【０１２９】
すなわち、この第２の実施形態においては、ＴＶ装置に接続され、手元で操作可能な無線表示端末１４に印刷プレビューを表示するとともに、拡大、範囲指定を行って、印刷を行うものである。なお、ＴＶ装置１１およびプリンタ装置１３は、第１の実施形態におけると同様であるので、その説明を省略する。
【０１３０】
また、この第２の実施形態によるリモコン装置３１２においては、第１の実施形態における表示装置が設けられていないこと以外については、第１の実施形態によるリモコン装置１２と同様の構成を有している。
【０１３１】
また、無線表示端末１４は、例えばタッチパネル付きの無線表示端末装置であり、図１６に示すように、タッチパネル付き表示装置１４３２と、各種キーボタンとから構成されている。また、この無線表示端末１４においては、印刷プレビュー表示が行う以外に、タッチパネルの操作によってプレビューデータの拡大、メモ入力および範囲指定印刷が実行され、ＴＶ表示したり、インターネットブラウザ表示したりすることができるように構成されている。
【０１３２】
また、図１７は、第２の実施形態において使用するリモコン装置３１２のブロック図（図１７Ａ）および、リモコン装置３１２の外形図（図１７Ｂ）である。なお、データ送受信部および表示装置が設けられていないこと以外の点については、第１の実施形態と同様の構成を有しているので、その説明を省略する。
【０１３３】
また、図１８に、この第２の実施形態において使用される無線表示端末１４をブロック図で示す。図１８に示すデータ送受信部１４０２は、ＴＶ装置１１と無線表示端末１４との間において、表示データや制御データなどの相互通信を行うためのものである。また、ＴＶ装置１１には、ＴＶ装置１１において受信またはインタフェース部１１６１から入力された、映像／音声データおよびデータ放送のデータや、通信部１１７１を通して得られたインターネットのデータ、ＴＶ装置１１における各種アプリケーションの画面、メッセージ、操作パネルなどの画面、もしくは表示に必要な制御情報などが入力可能に構成されている。
【０１３４】
一方、無線表示端末１４からは、キー入力部１４８１で押下されたキーボタンのキーコードや、タッチペンなどで押下されたタッチパネルの位置情報や、ＴＶ装置１１の制御に必要な各種情報などのデータが送信される。なお、これらのデータは、どの装置から送信されたかがわかるような装置情報が付加されて、送信される。
【０１３５】
また、ＡＶデコード部１４１１は、上述したデータ送受信部で受信したデータに含まれる、ＴＶ受信または、これと同等のフォーマットによる映像／音声データなどのデータをデコードして、映像データや音声データを判別し、このデータを、後述するシステム制御部１４９１の制御によって、後述する表示制御部１４３１および音声制御部１４２１に供給するように構成されている。
【０１３６】
また、音声制御部１４２１は、上述したＡＶデコード部１４１１および内部バス２３を通じて供給される音声データを切り替えたり、合成したり、音量、音質、臨場感などを制御したりして、後述する音声出力部１４２２に供給するためのものである。
【０１３７】
また、音声出力部１４２２は、上述した音声制御部１４２１から入力された音声信号を増幅してスピーカから音声を出力するように構成されている。また、表示制御部１４３１は、データ放送画面、この第２の実施形態によるＴＶシステム内のアプリケーション画面またはメッセージなどの、いわゆるＧＵＩ画面などを、後述するシステム制御部１４９１の制御に基づいて生成するように構成されている。
【０１３８】
また、表示制御部１４３１は、ＡＶデコード部１４１１からの映像データと、システム制御部１４９１からの制御とに基づいて、切替え、合成、拡大／縮小、その他各種変換、補正などを実行し、後述する表示装置１４３２に供給する。
【０１３９】
また、この第２の実施形態による表示制御部１４３１は、複数の独立した画像を階層的に表示可能で、ＴＶ装置１１から伝送されるＡＶデコード部１４１１からの画像データ、印刷プレビュー画面、ＴＶ内のアプリケーションとしての表示データ、操作ボタンなどのデータ、また、無線表示端末１４内において制御されるメッセージや操作ボタンなどのデータを、独立して描画可能に構成されている。
【０１４０】
タッチパネル付き表示部１４３２は、表示部１４３２ａおよびタッチパネル部１４３２ｂを有するとともに、表示制御部１４３１において生成された画像を表示可能に構成されている。表示部１４３２ａは、例えば３２０×４８０の解像度を有し、この第２の実施形態においては、印刷プレビューが可能な装置として最大の解像度を有している。また、タッチパネル部１４３２ｂは、システム制御部１４９１により制御され、専用ペンにより押下された表示装置上における位置情報を検知する。この位置情報は、データ送受信部１４０２を通じてＴＶ装置１１に送信される。
【０１４１】
メモリ部１４５１は、上述したデータ送受信部１４０２により受信されたデータのうちの、一時保存の必要な表示、音声または制御データを保存可能なメモリから構成される。キー入力部１４８１は、無線表示端末１４における後述した各種ボタンから構成される。そして、このキー入力部１４８１は、システム制御部１４９１によって走査されて、押下したキーボタン対応のキーコードを発生し、データ送受信部１４０２を通じてＴＶ装置１１に送信される。
【０１４２】
システム制御部１４９１は、無線表示端末１４を統括的に制御可能に構成されている。このシステム制御部１４９１によって、キー入力部１４８１およびタッチパネル部１４３２ｂが走査され、キーボタンやタッチパネルの押下状況が検出されて押下された場合に、対応するキーコードや表示装置上の位置情報に装置情報が付加されて、データ送受信部１４０２からＴＶ装置１１に送信される。
【０１４３】
データ送受信部１４０２にデータが受信されると、ＡＶデコード部１４１１にデコード指示が供給される。これにより、表示制御部１４３１に対して表示制御が実行され、システム制御部１４９１により生成されるデータが、表示部１４３２ａに表示されたり、この表示が制御されたりする。
【０１４４】
また、システム制御部１４９１により、音声制御部１４２１が制御されて、ＡＶデコード部１４１１が制御され、受信したデータ内の音声データや、無線表示端末１４内において生成されたアラームなどの音声データに基づいて、音声出力部１４２２が制御される。
【０１４５】
また、図１６に示すように、無線表示端末１４においては、キー入力部１４８１として、電源キー１４８１ａ、音量キー１４８１ｂ、メニューキー１４８１ｃ、カーソルキー１４８１ｄ、取り消しキー１４８１ｅなどの複数の表示に共通で使用するキーボタンから構成されている。
【０１４６】
また、図１６には、この無線表示端末１４に、インターネット画面、インターネット、ＴＶ放送視聴操作パネル（各種ボタン）が表示された例を示す。図１６には、インターネット操作画面３５０１およびＴＶ放送操作パネル３５０２を示す。視聴者の側は、これらの操作パネルと、上述したキー入力部１４８１によって、ＴＶ放送を視聴することができ
るように構成されている。
【０１４７】
図１９は、この第２の実施形態におけるシステム制御部１１９１の制御部の構成を示す。この図１９においては、第１の実施形態におけるシステム制御部１１９１に対して、メモ合成制御部１１９１ｅが追加されている。
【０１４８】
図２０は、第２の実施形態における印刷データの構成内容を示す。この図２０においては、第１の実施形態に対して、合成データ領域が追加された構造である。なお、合成データとは、視聴者により、無線表示端末１４を用いて、タッチパネル上にメモとして入力された接触位置情報である。
【０１４９】
また、印刷モード属性としては、無線表示端末１４において拡大表示のために指定された拡大位置情報が格納される。また、後述するエリア拡大印刷やエリア印刷が選択された場合の情報も、この印刷モード属性の部分に格納される。
【０１５０】
図２１は、この無線表示端末１４の電源スイッチを投入した際の初期画面表示であり、初期メニュー画面４００１が表示される。視聴者（ユーザ）は、タッチペンなどにより押下したり、またはカーソルキー１４８１ｄやカーソルキー１４８１ｄの決定キーを使用したりして、動作したいアプリケーションを選択実行する。
【０１５１】
図２２は、無線表示端末１４に、後述する印刷プレビュー画面と操作用のボタンとを表示した表示例である。そして、視聴者により、操作用のボタンが専用ペンなどにより押下されることによって、各動作が実行される。
【０１５２】
すなわち、印刷ボタンが押下されると、印刷メニューを経由し印刷が行われる。メモボタンが押下されると、後述のメモモードに移行する。拡大ボタンが押下されると、後述した拡大表示モードに移行する。キャンセルボタンを押下すると、印刷プレビューがキャンセルされ、図１６の表示に戻る。戻るボタンを押下すると、ひとつ前の表示に戻る。なお、これらの操作ボタンにおける動作については、以降の図においても同様である。
【０１５３】
図２３に、無線表示端末１４において上述した図１９における拡大ボタン４２０１の押下に伴って拡大モードに入ったことを示す画面例を示す。この図２３に示す状態になって、範囲指定が可能となる。
【０１５４】
図２４に、無線表示端末１４において、２箇所の位置４３０１，４３０２の拡大領域指定を行う画面を示す。これらの２箇所を押下することにより、２箇所の位置を頂点とする長方形部分を拡大表示する動作が実行される。
【０１５５】
図２５に、無線表示端末１４において、図２４のように拡大領域指定がされた場合に、拡大された印刷プレビュー領域が表示されて、画面移動ボタン４４０１が表示された状態を示す。図２５に示すように、視聴者は、この画面移動ボタン４４０１を押下することにより上述した印刷プレビュー画面の他の部分を表示させることが可能である。
【０１５６】
図２６に、無線表示端末１４において、上述した図２５の拡大プレビュー表示画面で印刷ボタンを押下する状態の表示を示す。また、図２７に、無線表示端末１４において、図２６に示す印刷ボタンを押下した後、印刷メニュー画面４６０１を表示した状態を示す。全体印刷は、印刷データ全体を印刷ファイルの付属情報に格納されている放送局からの標準用紙サイズで印刷する。他方、エリア印刷は、拡大モードで領域指定し拡大プレビューされた領域のみを印刷する。また、拡大印刷は、上述した拡大プレビュー表示された領域を拡大して印刷する。
【０１５７】
図２８に、無線表示端末１４において、図２５に示す状態でメモボタンが押下され、画面にメモモードメニュー４７０１が表示された後に、ペンボタンが押下された状態を示す。また、図２９に、無線表示端末１４において、図２８の状態でタッチパネル上にメモを書いている状態を示す。図３０に、上述した全画面印刷や拡大印刷ボタンを押下した場合の印刷メニューを示し、符号４９０１に示すように、印刷可能な用紙サイズボタンと詳細設定ボタンとが表示されて、プレビュー制御部１１９１ｂにより判断された最適用紙サイズにフォーカス表示される。
【０１５８】
図３１に、上述したエリア印刷を押下した場合の印刷メニュー画面を示す。また、図３１においては、エリア指定して印刷サイズが小さくてすむように、全体印刷に対して小さな用紙がフォーカスされた表示を示す。他方、図３２に、図２２に示す印刷プレビュー全体表示画面で印刷ボタンを押下し印刷を行った場合において、印刷データ全体を印刷した通常印刷を示す。
【０１５９】
また、図３９に、図２９においてメモ記入後、メモモードを終了し、図２７に戻った画面で、印刷メニュー画面４６０１の全体印刷が押下された場合に印刷される印刷結果全体に対し、メモが合成印刷された結果を示す。また、この図においては、図２２に示す印刷プレビュー全体表示画面においてメモボタンが押下され、メモ記入を行った後、印刷ボタンを押下し印刷を行った場合も同様の結果が得られる。
【０１６０】
図３３に、上述した図２９で拡大印刷ボタンを行った場合の印刷結果を示す。図３３に示すようにして、拡大表示が、用紙全体にそのまま拡大されて印刷される。また、図３４は、上述した図２７および図２９に示すエリア印刷を行った場合の印刷結果であり、無線表示端末１４において、拡大された範囲が、通常の大きさで用紙サイズが小さくされて印刷した結果である。
【０１６１】
（動作）
次に、この無線表示端末における、印刷データのプレビューと印刷の動作とについて、図３５から図３８を参照しつつ説明する。図３５に、視聴者がＴＶ装置１１で番組を視聴中に、無線表示端末１４に印刷プレビュー画面を表示する場合の動作フローを示す。なお、この第２の実施形態においては、放送で伝送される印刷データは、標準ではＡ４サイズに印刷されるものとする。
【０１６２】
まず、ステップＳＴ５５０１において、視聴者は、無線表示端末の電源スイッチをＯＮにして、図２１に示す初期メニューの中からＴＶを選択する。続いて、ＴＶ装置１１の電源が投入されて視聴が開始されるとともに、インターネットが選択されると、図１６に示す表示画面になる。
【０１６３】
その後、ステップＳＴ５５０２において、電源がＯＮになると、ＴＶ装置１１は、第１の実施形態におけるステップＳＴ２１０１〜ＳＴ２１０３の場合と同様にして、無線表示端末１４において、プリンタ装置がプレビュー機器として登録されるとともに、印刷のサポートの有無の確認が実行される。
【０１６４】
その後、ステップＳＴ５５０３に移行して、第１の実施形態におけると同様にして、データ放送制御スクリプト、印刷データ、印刷属性データおよび印刷プレビューデータなどが検知される。これにより、印刷データ、印刷プレビューデータおよび印刷属性データが、図２０に示す印刷ファイルとしてメモリ部１１５１に格納される。そして、Ｔ０経過後にｄボタンが表示されて、視聴者によりｄボタンが選択されると、図４２Ａに示すような印刷、プレビューおよびキャンセルの印刷プレビュー提示の表示が行われる。
【０１６５】
そして、ステップＳＴ５５０６において、印刷ボタンまたはキャンセルボタンが選択された場合、それぞれについて第１の実施形態におけると同様の処理が行われる。すなわち、印刷ボタンが選択された場合、ステップＳＴ５５４１に移行して印刷が実行され、キャンセルボタンが選択された場合、ステップＳＴ５５５１に移行してキャンセル処理が行われる。
【０１６６】
他方、ステップＳＴ５５０６においてプレビューボタンが選択されると、ステップＳＴ５５０８に移行して、データ放送制御部１１９１ａにより、プレビュー表示可能装置登録テーブルから解像度が最大の装置が調査される。続いて、ステップＳＴ５５０９に移行して、上述のプレビューボタンのキーコードがこの装置からのものであるか、すなわち最高解像度のプレビュー機器から操作しているか否かが判別される。
【０１６７】
このステップＳＴ５５０９において、最大解像度を有する装置からではないと判別された場合、ステップＳＴ５５２１に移行して、第１の実施形態におけると同様にして、図１１に示すような印刷プレビュー装置の選択画面が表示され、その後の処理が行われる。
【０１６８】
プレビューボタンが最大解像度を有する装置から送信されたものであると判別された場合、上述の印刷プレビュー装置の選択画面を表示することなく、送信された装置を自動的に印刷プレビュー装置として決定する。その後、このプレビュー装置において、プレビュー要求がプレビュー制御部１１９１ｂに要求される。
【０１６９】
この第２の実施形態においては、プレビューボタンの情報を送信した無線表示端末１４が最大の表示解像度を有しているので、ステップＳＴ５５１０に移行して、この無線表示端末１４が自動的に印刷プレビュー装置と決定される。
【０１７０】
そして、ステップＳＴ５５１２に移行して、プレビュー制御部１１９１ｂにより、第１の実施形態におけると同様にして印刷プレビューデータとプレビュー装置との表示解像度が比較される。
【０１７１】
この比較の結果、印刷プレビューデータの解像度がプレビュー装置の表示解像度以上の場合には、ステップＳＴ５５１３に移行する。ステップＳＴ５５１３においては、プレビュー制御部１１９１ｂにより、プレビューデータが間引きされて、次の操作ボタンデータとともに無線表示端末１４に送信される。他方、印刷プレビューデータの解像度が、プレビュー装置の表示解像度未満の場合には、ステップＳＴ５５３１に移行して、印刷データを表示解像度に合わせて展開したデータと操作ボタンデータとが無線表示端末１４に送信される。
【０１７２】
そして、いずれの場合においても、ステップＳＴ５５１４に移行して、このデータを受信した無線表示端末１４のシステム制御部１４９１により、データが一旦メモリ部１４５１に保存され、必要に応じて読み出されて、表示制御部１４３１が制御され、印刷プレビュー画面と操作ボタン画面とが、図２２に示すように表示される。
以上のようにして、プレビュー表示が行われる。
【０１７３】
（拡大プレビュー表示の動作）
次に、拡大プレビュー表示の動作について、図３６を参照しつつ説明する。
【０１７４】
図３６に示すように、ステップＳＴ５６０１において、視聴者により、図２２に示す画面で拡大ボタンが押下されると、このデータを検知したプレビュー制御部１１９１ｂにより、印刷プレビュー拡大表示モードの制御が開始される。
【０１７５】
次に、ステップＳＴ５６０２において、視聴者が拡大したい領域を指定するために、視聴者により表示画面上の２箇所（図２４中、４３０１，４３０２）が押下されると、ステップＳＴ５６０３に移行して、無線表示端末１４から、この２箇所の位置情報がＴＶ装置１１に送信される。
【０１７６】
２箇所の位置情報がプレビュー制御部１１９１ｂに受信されると、ステップＳＴ５６０４に移行して、２箇所の拡大位置情報が印刷ファイルの属性として格納される。これとともに、印刷データの拡大領域と印刷データ上での位置が決定される。
【０１７７】
そして、ステップＳＴ５６０６において、上述の決定した拡大領域の解像度（印刷プレビューデータの画素数）と、プレビュー表示装置である無線表示端末の解像度とが比較される。その結果、拡大領域内の印刷プレビューデータの解像度がプレビュー装置の表示解像度以上である場合、ステップＳＴ５６０７に移行して、プレビューデータが間引きされる。他方、領域内の印刷プレビューデータの解像度がプレビュー装置の表示解像度未満の場合、ステップＳＴ５６１１に移行して、印刷データが表示解像度に合わせて展開されて、拡大プレビューデータとして生成され、画面移動操作ボタンとともに無線表示端末１４に送信される。
【０１７８】
その後、印刷データを受信した無線表示端末１４において、システム制御部１４９１により、このデータが図１８に示すメモリ部１４５１に一旦保存される。そして、図２５に示すように、印刷プレビュー表示領域部分に、この拡大プレビュー画面と、画面の左右上下スクロール操作ボタンとが表示される。
【０１７９】
ステップＳＴ５６２１において、図２５に示すように、画面左右上下スクロール用ボタン４４０１が押下されると、このボタンの情報が、ＴＶ装置１１に送信される。このボタンの情報が受信されると、ステップＳＴ５６３２において、プレビュー制御部１１９１ｂによって、拡大率がそのままで、表示領域をこのボタンの左右上下に応じ変更するよう拡大位置情報が計算される。そして、再度ステップＳＴ５６０４に移行して、図２０に示す拡大位置情報が書き換えられ、再度プレビューデータが生成し直されて、表示される（ＳＴ５６０９〜ＳＴ５６１０）
【０１８０】
次に、図２６に示すように、画面上において印刷ボタンが押下されると、この情報がＴＶ装置１１に伝送される。このとき、プレビュー制御部１１９１ｂは、これを検知すると、図２７の４６０１印刷操作ボタン（印刷メニュー画面）を送信し、これを受信した無線表示端末１４においては、図２７に示すように表示される。
【０１８１】
（メモ記入動作）
次に、プレビュー表示時のメモ記入についての動作について図３７を参照しつつ説明する。
【０１８２】
すなわち、図３７に示すように、ステップＳＴ５７０１において、視聴者により、メモボタンが押下されると、このボタンの情報がＴＶ装置１１に伝送される。
【０１８３】
その後、ステップＳＴ５７０２において、このＴＶ情報を検知したプレビュー制御部１１９１ｂにより、メモ合成制御部１１９１ｅが起動される。これにより、メモ合成制御部１１９１ｅにおいて、メモデータ保存用に図２０に示すような合成メモデータ領域が確保される。
【０１８４】
続いて、ステップＳＴ５７０３に移行して、無線表示端末１４に対し、図２８に示すペ
ンボタン４７０１と同様のメニュー画面におけるメモモード操作ボタン（図示せず）が送信される。このメモモード操作ボタンの押下された情報が、無線表示端末１４により受信され、表示される。
【０１８５】
次に、ステップＳＴ５７０５に移行して、視聴者により、このメモ操作ボタンからペンボタン４７０１が押下されると、このボタンの情報がＴＶ装置１１に送信される。そして、このボタンの情報が検知されたメモ合成制御部１１９１ｅは、描画モードとなる。
【０１８６】
その後、ステップＳＴ５７３１に移行して、視聴者により、タッチペンで表示装置１４３２におけるタッチパネル部１４３２ｂがなぞられると、ステップＳＴ５７３２に移行して、位置情報が連続的にＴＶ装置１１に伝送される。
【０１８７】
続いて、ステップＳＴ５７３３に移行して、メモ合成制御部１１９１ｅにより、この位置情報データが合成メモデータとして印刷データに対応されて、図２０の合成メモデータエリアに書き込まれる。これとともに、ステップＳＴ５７３４に移行して、タッチパネルの位置に黒い点が表示されるなどの、表示メモデータが無線表示端末１４に送信される。
【０１８８】
続いて、ステップＳＴ５７３５において、この表示メモデータを受信した無線表示端末１４のシステム制御部１４９１により、表示制御部１４３１が制御され、受信した表示メモデータが例えば黒い点などで描画されて、既存の印刷プレビュー画面と合成するように表示される。従って、タッチペンでなぞった部分が黒く表示され、表示画面上にメモなどの記入ができ、この状態は図２９に示される。
【０１８９】
そして、ステップＳＴ５７３６において、ボタンが押下されるまで、すなわち印刷メニューより他のボタンが押下されるまで、ペンモードによる描画状態が継続される。
【０１９０】
一方、ステップＳＴ５７０５において、消しゴムボタンを押下すると、ステップＳＴ５７２１〜ＳＴ５７２６が順次実行されて、上述した場合とは反対の動作が行われる。すなわち、タッチペンでなぞった位置情報に対して透明となる色、または背景色（例えば白色）のデータを表示するように制御され、印刷ファイル内の合成メモデータが書き換えられ、ペンモードにおける黒く表示されたデータが消去される。
【０１９１】
メモ記入終了後、ステップＳＴ５７０５において、視聴者により終了ボタンが押下されると、このボタン情報が、ＴＶ装置１１に送信される。このボタン情報を検知したメモ合成制御部１１９１ｅによりメモ制御モードが終了する。これにより、ステップＳＴ５７０８において、プレビュー制御部１１９１ｂに制御を返されてプレビュー制御モードとなり、プレビューメニュー画面におけるプレビュー操作ボタン４１０２が送信されて、無線表示端末１４に表示される。
【０１９２】
（拡大プレビュー印刷動作）
次に、拡大プレビュー表示からの印刷動作について、図３８を参照しつつ説明する。まず、ステップＳＴ５８０１において、視聴者により印刷ボタンが押下されると、ステップＳＴ５８０２に移行して、上述の場合と同様に、印刷操作ボタン（印刷メニュー）４６０１が表示される。
【０１９３】
そして、ステップＳＴ５８０３において全体印刷が押下された場合、ＴＶ装置１１に、このボタン情報が送信されて、ステップＳＴ５８２１に移行する。
【０１９４】
ステップＳＴ５８２１においては、ボタン情報の受信を検知したプレビュー制御部１１９１ｂにより、全体印刷であることから、印刷ファイルに図２０に示す印刷ファイル内で
印刷データに標準で指定されている標準用紙サイズが調査される。そして、ステップＳＴ５８２１において、この標準サイズＡ４のみを推奨用紙サイズボタンとした、図３０において符号４９０１で示すような印刷操作ボタン（印刷メニュー）が生成され、無線表示端末１４に送信されて表示される。なお、Ａ４で印刷可能であれば、それ以下の用紙サイズに縮小印刷も可能である。この場合、符号４９０１により示される詳細設定から選択することが可能であるが、この第２の実施形態においては、推奨のみを最初のメニューで表示する例について説明する。
【０１９５】
続いて、ステップＳＴ５８２２において、視聴者により推奨の用紙サイズボタンが押下されると、無線表示端末１４により、この用紙サイズボタンの情報がＴＶ装置１１に送信される。
【０１９６】
続いて、ステップＳＴ５８２３において、このボタン情報から用紙サイズを検知したＴＶ装置１１のプレビュー制御部１１９１ｂにより、プレビュー要求コマンドの返り値として、データ放送制御部１１９１ａに印刷が返される。
【０１９７】
そして、ステップＳＴ５８２４において、この印刷が返されたデータ放送制御部１１９１ａにおいて、印刷制御部１１９１ｃに、印刷要求コマンドが発行される。これに応じて、ステップＳＴ５８２５に移行して、印刷制御部１１９１ｅにより、プリンタ装置１３に対して、印刷データと印刷要求とが送信される。
【０１９８】
これにより、ステップＳＴ５８２６において、印刷制御部１１９１ｅにより、印刷ファイルの属性情報より、特殊印刷でないことが検知される。その後、ＳＴ５８２７に移行して、第１の実施形態におけると同様の制御により、図３２または図３９に示すように、上述した図２０に示す印刷ファイル内において指定された用紙全体に、印刷データ全体が印刷される。
【０１９９】
また、ステップＳＴ５８０３において、視聴者により拡大印刷が押下された場合、このボタン情報がＴＶ装置１１に送信される。そして、ステップＳＴ５８４１に移行して、このボタン情報を検知したプレビュー制御部１１９１ｂにより、拡大印刷であることに基づいて、印刷ファイルから印刷データに標準で指定されている標準用紙サイズと、接続されているプリンタ装置１３で印刷可能な最大サイズとが調査される。そして、プレビュー制御部１１９１ｂにより、拡大印刷が可能な用紙サイズが判断され、推奨用紙サイズボタンとして表示される。
【０２００】
この第２の実施形態において、プリンタの最大印刷用紙サイズは、例えばＡ４であるため、上述した全体印刷の場合と同様にして、図３０に示す符号４９０１が印刷操作ボタン（印刷メニュー）となる。そして、ステップＳＴ５８４１において、このデータが無線表示端末１４に送信されて、表示される。
【０２０１】
そして、ステップＳＴ５８４２において、視聴者により、推奨の用紙サイズボタンが押下されると、無線表示端末１４により、用紙サイズボタンの情報がＴＶ装置１１に送信される。
【０２０２】
その後、ステップＳＴ５８４３に移行して、このボタン情報から用紙サイズを検知したＴＶ装置１１のプレビュー制御部１１９１ｂにより、図２０に示す印刷ファイルの中の印刷属性が拡大印刷にセットされる。そして、印刷用紙サイズとして、この受信した用紙サイズがセットされて、データ放送制御部１１９１ａにプレビュー要求コマンドの返り値として、印刷が返される。そして、ステップＳＴ５８４４に移行して、これを受信したデータ放送制御部１１９１ａにより、印刷制御部１１９１ｃに対して印刷要求コマンドが発行
される。
【０２０３】
これにより、ステップＳＴ５８４５に移行して、印刷制御部１１９１ｅにより、プリンタ装置１３に印刷データと印刷要求とが送信される。そして、ステップＳＴ５８４６に移行して、この印刷データおよび印刷要求を受信したプリンタ装置１３により、印刷ファイルの属性から拡大印刷であることが判別される。
【０２０４】
同様にして、ステップＳＴ５８４７において、印刷ファイル属性中の拡大位置情報から指定された印刷データの領域を指定された用紙サイズに拡大して、図３３に示すように印刷が実行される。
【０２０５】
また、ステップＳＴ５８０３において、視聴者によりエリア印刷が押下された場合、このボタン情報がＴＶ装置１１に送信される。
【０２０６】
そして、ステップＳＴ５８６１に移行して、このボタン情報を検知したプレビュー制御部１１９１ｂにより、エリア印刷であることから、印刷ファイルから、印刷データに標準で指定されている用紙サイズと接続されているプリンタ装置１３で印刷可能な最大サイズとが調査される。
【０２０７】
そして、エリア印刷が可能な用紙サイズが判断され、推奨用紙サイズボタンとして表示される。この第２の実施形態においては、プリンタの最大印刷用紙サイズはＡ４であり、印刷領域をＡ５以下としていることから、推奨用紙サイズとして、Ａ４とＡ５とが決定され、図３１に示すような印刷メニュー画面が表示される。そして、上述した場合と同様にして、操作ボタンデータが無線表示端末１４に送信され表示される。
【０２０８】
ここで、ステップＳＴ５８６２において、視聴者により、Ａ５の用紙サイズボタンが押下されると、無線表示端末１４により、情報がＴＶ装置１１に送信される。
【０２０９】
その後、ステップＳＴ５８６３に移行して、このボタン情報より用紙サイズを検知したＴＶ装置１１のプレビュー制御部１１９１ｂにより、図２０に示す印刷ファイル中の印刷属性がエリア印刷にセットされ、印刷用紙サイズが、この受信した用紙サイズにセットされ、データ放送制御部１１９１ａにプレビュー要求コマンドの返り値として印刷が返される。
【０２１０】
そして、ステップＳＴ５８６４に移行して、このプレビュー要求コマンドを受信したデータ放送制御部１１９１ａにより、印刷制御部１１９１ｃに、印刷制御を要求する。これにより、ステップＳＴ５８６５において、印刷制御部１１９１ｅにより、プリンタ装置１３に、印刷データと印刷要求とが送信される。
【０２１１】
続いて、ステップＳＴ５８６５において、これらの印刷データおよび印刷要求を受信したプリンタ装置１３により、上述の場合と同様にして、ステップＳＴ５８６６において、印刷ファイルの属性からエリア印刷であることが判別される。同様にして、ステップＳＴ５８６７において、印刷ファイル属性中の拡大位置情報で指定された印刷データの領域が、指定された用紙サイズの用紙に図３４に示す印刷が実行される。
【０２１２】
なお、この第２の実施形態においては、ＴＶ装置１１の表示部１１３４には、最初にプレビューの提示の表示を行った後は、プレビュー、印刷に関する表示が一切行われず、一貫して番組が表示されている。
【０２１３】
以上、この発明の実施形態について具体的に説明したが、この発明は、上述の実施形態
に限定されるものではなく、この発明の技術的思想に基づく各種の変形が可能である。
【０２１４】
例えば、上述の実施形態において挙げた表示はあくまでも例に過ぎず、必要に応じてこれと異なる表示であってもよい。
【０２１５】
たとえば、上述の第１の実施形態においては、複数のプレビュー可能な表示装置がある場合、それを表示し、視聴者に選択させており、また第２の実施形態においては、操作をしている装置がプレビュー可能である場合、それを自動的にプレビュー装置としているが、そのほかにも、番組が表示されている表示装置以外のプレビュー可能な表示装置において、最大の表示サイズまたは解像度を有する表示装置を自動的にプレビュー装置とし、この表示装置に表示させるという方法を採用することも可能である。この方法を採用することにより、印刷プレビュー表示が、ＴＶの視聴の妨げになるのを避けることができる。
【０２１６】
また、メモ重ね書き印刷としては、手書き文字抽出を使用し、テキストファイルとして既存のフォントを利用して印刷することも可能である。
【０２１７】
また、例えば上述の実施形態においては、印刷プレビューデータが、番組データおよび印刷データとともに放送によって伝送されているが、これは、ＴＶ装置がインターネットにアクセス可能なようにしておき、インターネット上のサーバにプレビューデータを格納し、放送においては、このプレビューデータのロケーションＵＲＩを送信して、ＴＶ装置１１においてプレビューの要求があった場合に、このＵＲＩから、インターネット上のサーバにあるプレビューデータを受信し、表示する方法を採用してもよい。
【０２１８】
この際、サーバ側に、複数の解像度のプレビューデータを用意しておき、プレビュー表示装置の解像度に合ったプレビューデータを選択して受信することも可能である。
【０２１９】
また、この発明の無線端末表示装置における操作は、タッチパネルに操作ボタンを表示し、それに接触することで行ったが、これは、無線端末表示装置に用意されたカーソルキーと決定キー、または専用キーで対応することも可能である。
【０２２０】
また、例えば、ＴＶ装置とインタフェース部１１６１にＰＣを接続し、ＰＣ側は、ＴＶ装置１１のプレビューコマンド対応のアプリケーションを作成することによって、印刷データをＰＣに転送し、ＰＣ内で展開して表示することも可能である。この際、ＰＣの場合、ＰＣ並びにそれに接続される表示装置の処理能力がかなり高いため、ＴＶ放送でプレビュー専用データを伝送された場合でも、これを使用せず、印刷データを展開する方式で行う。
【０２２１】
また、この印刷プレビューデータに、キーボードなどからの入力をメモとして付加し合成して印刷することも可能である。この場合、図４０に示すように、第２の実施形態のような重ね書きのほかに、変形印刷モードを用意する必要がある。そして、変形印刷においては、印刷データの印刷結果を、左右または上下に縮小して、メモ合成領域を確保するようにする。そして、この領域にＰＣ内で入力したデータを合成する。また、ＰＣのアプリケーションとして、ＴＶ装置１１の印刷コマンドに対応することによって、ＰＣに接続されＰＣにより制御可能なプリンタによって印刷することも可能である。
【図面の簡単な説明】
【０２２２】
【図１】この発明の第１の実施形態によるプレビュー表示システムの構成を示すブロック図である。
【図２】この発明の第１の実施形態によるＴＶ装置の詳細構成を示すブロック図である。
【図３】この発明の第１の実施形態によるリモコン装置の詳細構成を示す略線図である。
【図４】この発明の第１の実施形態によるリモコン装置の外形を示す略線図である。
【図５】この発明の第１の実施形態によるプリンタ装置の詳細構成を示すブロック図である。
【図６】この発明の第１の実施形態による放送データの構成を説明するための略線図である。
【図７】この発明の第１の実施形態による印刷ファイルの構成を説明するための略線図である。
【図８】この発明の第１の実施形態によるシステム制御部の構造を説明するためのブロック図である。
【図９】この発明の第１の実施形態によるシステム制御部の構成を説明するためのブロック図である。
【図１０】この発明の第１の実施形態によるｄボタン表示を説明するための略線図である。
【図１１】この発明の第１の実施形態によるプレビュー場所選択表示を説明するための略線図である。
【図１２】この発明の第１の実施形態によるリモコンに表示されるプレビュー表示を説明するための略線図である。
【図１３】この発明の第１の実施形態によるプレビュー動作方法を説明するためのフローチャートである。
【図１４】この発明の第１の実施形態によるプリンタプレビュー動作方法を説明するためのフローチャートである。
【図１５】この発明の第２の実施形態による印刷プレビューシステムの全体構成を示すブロック図である。
【図１６】この発明の第２の実施形態による無線表示端末の外形を示す略線図である。
【図１７】この発明の第２の実施形態によるリモコン装置の詳細構成を示すブロック図および外形を示す略線図である。
【図１８】この発明の第２の実施形態による無線表示端末の詳細構成を示すブロック図である。
【図１９】この発明の第２の実施形態によるシステム制御部の構成を示すブロック図である。
【図２０】この発明の第２の実施形態による印刷ファイルの構成を示す略線図である。
【図２１】この発明の第２の実施形態による無線表示端末の初期画面を示す略線図である。
【図２２】この発明の第２の実施形態による無線表示端末の表示の例を示す略線図である。
【図２３】この発明の第２の実施形態による無線表示端末の表示の例を示す略線図である。
【図２４】この発明の第２の実施形態による無線表示端末の表示の例を示す略線図である。
【図２５】この発明の第２の実施形態による無線表示端末の表示の例を示す略線図である。
【図２６】この発明の第２の実施形態による無線表示端末の表示の例を示す略線図である。
【図２７】この発明の第２の実施形態による無線表示端末の表示の例を示す略線図である。
【図２８】この発明の第２の実施形態による無線表示端末の表示の例を示す略線図である。
【図２９】この発明の第２の実施形態による無線表示端末の表示の例を示す略線図である。
【図３０】この発明の第２の実施形態による無線表示端末の表示の例を示す略線図である。
【図３１】この発明の第２の実施形態による無線表示端末の表示の例を示す略線図である。
【図３２】この発明の第２の実施形態による通常印刷を説明するための略線図である。
【図３３】この発明の第２の実施形態による拡大印刷を説明するための略線図である。
【図３４】この発明の第２の実施形態によるエリア印刷を説明するための略線図である。
【図３５】この発明の第２の実施形態によるプレビュー動作方法を説明するためのフローチャートである。
【図３６】この発明の第２の実施形態による拡大処理動作方法を説明するためのフローチャートである。
【図３７】この発明の第２の実施形態によるメモ合成動作方法を説明するためのフローチャートである。
【図３８】この発明の第２の実施形態による印刷動作方法を説明するためのフローチャートである。
【図３９】この発明の第２の実施形態によるメモ合成印刷を説明するための略線図である。
【図４０】この発明の実施形態の他の例による変形合成によるメモ合成印刷方法を説明するための略線図である。
【図４１】従来技術による表示方法を説明するための略線図である。
【図４２】従来技術による表示方法を説明するための略線図である。
【符号の説明】
【０２２３】
１１  ＴＶ装置
１２  リモコン装置
１３  プリンタ装置
１４  無線表示端末
２１  ネットワーク
２２  内部バス
４１  ヘッダ部
４２  内部バス
４２  番組データ
４３  データ放送データ
１５１  メモリ部
３１２  リモコン装置
１１０１  チューナ部
１１０２  データ分離部
１１０３，１４１１  ＡＶデコード部
１１２１，１４２１  音声制御部
１１２２，１２１２，１４２２  音声出力部
１１３１  グラフィック制御部
１１３３  表示合成制御部
１１３４  表示部
１１５１  メモリ部
１１６１  インタフェース部
１１７１  通信部
１１８１  リモコン制御部
１１８２  データ送受信部
１１９１  システム制御部
１２０１  キーボタン入力部
１２０１ａ，１４８１ａ  電源キー
１２０１ｂ  音量キー
１２０１ｃ  チャンネルキー
１２０１ｄ  データ放送キー
１２０１ｅ，１４８１ｃ  メニューキー
１２０１ｆ  カーソル
１２０２  タッチパネル付表示部
１２０２ａ，１４３２ａ  表示部
１２０２ｂ，１４３２ｂ  タッチパネル部
１２０７  データ送受信部
１２０８  キーデータ受信部
１２０９  リモコン制御部
１２２２，１４３２  表示装置
１３０１  プリンタ機構部
１３０２  データ展開部
１３０３  データ格納部
１３０７  表示部
１３０８  インタフェース部
１３０９  プリンタ制御部
１４０２  データ送受信部
１４３１  表示制御部
１４５１  メモリ部
１４８１  キー入力部
１４８１ｂ  音量キー
１４８１ｄ  カーソルキー
１４８１ｅ  キー
１４９１，１９９１  システム制御部
３５０１  インターネット操作画面
３５０２  放送操作パネル
４００１  初期メニュー画面
４１０２  プレビュー操作ボタン
４２０１  拡大ボタン
【図１】
2005346236.tif 000003
【図２】
2005346236.tif 000004
【図３】
2005346236.tif 000005
【図４】
2005346236.tif 000006
【図５】
2005346236.tif 000007
【図６】
2005346236.tif 000008
【図７】
2005346236.tif 000009
【図８】
2005346236.tif 000010
【図９】
2005346236.tif 000011
【図１０】
2005346236.tif 000012
【図１１】
2005346236.tif 000013
【図１２】
2005346236.tif 000014
【図１３】
2005346236.tif 000015
【図１４】
2005346236.tif 000016
【図１５】
2005346236.tif 000017
【図１６】
2005346236.tif 000018
【図１７】
2005346236.tif 000019
【図１８】
2005346236.tif 000020
【図１９】
2005346236.tif 000021
【図２０】
2005346236.tif 000022
【図２１】
2005346236.tif 000023
【図２２】
2005346236.tif 000024
【図２３】
2005346236.tif 000025
【図２４】
2005346236.tif 000026
【図２５】
2005346236.tif 000027
【図２６】
2005346236.tif 000028
【図２７】
2005346236.tif 000029
【図２８】
2005346236.tif 000030
【図２９】
2005346236.tif 000031
【図３０】
2005346236.tif 000032
【図３１】
2005346236.tif 000033
【図３２】
2005346236.tif 000034
【図３３】
2005346236.tif 000035
【図３４】
2005346236.tif 000036
【図３５】
2005346236.tif 000037
【図３６】
2005346236.tif 000038
【図３７】
2005346236.tif 000039
【図３８】
2005346236.tif 000040
【図３９】
2005346236.tif 000041
【図４０】
2005346236.tif 000042
【図４１】
2005346236.tif 000043
【図４２】
2005346236.tif 000044